(57)【要約】【課題】担当看護師による巡回が開始されたことを入院患者に報知することができるナースコールシステムを提供する。【解決手段】看護師用携帯電話９から巡回開始操作が行われた場合、制御機８は、位置管理サーバ１４により選択された入院患者のベッドサイドモニタ３に巡回開始信号が送信し、巡回開始信号を受信したベッドサイドモニタ３は、巡回が開始されたことを通知する制御を実行する。【選択図】図１
2019125909.tif 000002
【特許請求の範囲】
【請求項１】
入院患者が看護師を呼ぶために病室のベッド毎に備えられたナースコール子機と、
前記ナースコール子機からの呼び出しに応答するためにナースステーションに設置されたナースコール親機と、
前記ナースコール子機が接続され、病室内のベッド近傍に設置されるプレート子機と、
病室のベッド毎に備えられて患者関連情報を表示可能なベッドサイドモニタと、
機器間の通話および通信を制御する制御装置と、
前記制御装置に、携帯電話交換接続機能を有するＰＢＸ、携帯電話無線送受信機能を有する基地局を介して接続される、前記ナースコール子機からの呼び出しに応答するために看  護師が携行する複数の看護師用携帯電話と、
入院患者が所持する複数の入院患者用携帯電話と、
を備えたナースコールシステムであって、
病棟内の適宜場所に、位置信号を無線発信する位置情報発信機が設置されると共に、前記看護師用携帯電話のそれぞれの位置情報を保存する位置管理サーバを具備する一方、
前記看護師用携帯電話には前記位置情報発信機が発信する位置信号を受信して、当該位置信号に自身のＩＤを付加して発信する位置情報通信部が設けられ、
前記位置管理サーバが、個々の前記看護師用携帯電話から受信した位置情報を保存する看護師用携帯電話位置記憶部に加えて、看護師と看護師用携帯電話とを関連付けた看護師用携帯電話テーブル記憶部と、看護師と入院患者を関連付けた担当看護師テーブル記憶部と、入院患者と前記ナースコール子機とを関連付けた入院患者テーブル記憶部と、個々の前記ナースコール子機の位置を記憶するベッド位置記憶部と、前記看護師用携帯電話と前記ナースコール子機との間の距離を計測し、距離を含む所定の条件を満たす入院患者を順次選択する距離計測部とを備えると共に、前記看護師用携帯電話には、巡回開始ボタンが設けられており、
前記制御装置は、前記看護師用携帯電話から巡回開始操作が行われた場合、前記位置管理サーバに当該看護師用携帯電話の位置情報をもとに前記所定の条件を満たす入院患者を順次選択させ、前記位置管理サーバにより選択された入院患者の前記ベッドサイドモニタ、前記ナースコール子機、前記プレート子機および前記入院患者用携帯電話のうち少なくとも一つの機器に巡回開始信号を送信し、
前記巡回開始信号を受信した前記機器は、巡回が開始されたことを通知する制御を実行する、
ナースコールシステム。
【請求項２】
前記距離計測部は、巡回開始操作が行われた前記看護師用携帯電話に関連付けられている入院患者を前記看護師用携帯電話テーブル記憶部および前記担当看護師テーブル記憶部から選択し、その入院患者の中から、そのナースコール子機と当該看護師用携帯電話との間の距離が所定の第一距離内となる入院患者を順次選択する、
請求項１記載のナースコールシステム。
【請求項３】
前記位置管理サーバは、前記距離計測部が、病棟内を実際に移動する際の動線上の距離を計測するためのマップ情報記憶部を有しており、
前記距離計測部は、前記ナースコール子機と前記看護師用携帯電話との間の距離を計測する際、巡回開始操作が行われた前記看護師用携帯電話を携行する看護師が前記ナースコール子機の位置にたどり着くまでの動線上の距離を前記マップ情報記憶部のデータをもとに計測する、
請求項１または２に記載のナースコールシステム。
【請求項４】
ベッド上の入院患者を撮像できる病室カメラと、この病室カメラの撮像映像をもとに、ベッドから入院患者が居なくなる離床状態を検出できる映像解析部とをさらに備えており、
前記制御装置は、前記映像解析部により離床状態が検出されている間に、この入院患者と関連付けられた看護師の看護師用携帯電話により巡回開始操作が行われ、前記離床状態が検出されている入院患者が前記位置管理サーバにより選択された場合、前記入院患者の入院患者用携帯電話に前記巡回開始信号を送信する制御を実行する、
請求項１ないし３のいずれかの項記載のナースコールシステム。
【請求項５】
前記距離計測部は、前記第一距離内となる入院患者を選択した後、この選択された入院患者の前記ナースコール子機と前記看護師用携帯電話との間の距離が前記第一距離よりも近い所定の第二距離内となった場合、第二距離内となった入院患者を前記制御装置に通知し、前記制御装置は、第二距離内となった入院患者の通知を受けた場合、この入院患者の前記機器に、さらに接近通知信号を送信し、
前記接近通知信号を受信した機器は、看護師がまもなく病室に来訪することを通知する制御を実行する、
請求項１ないし４のいずれかの項記載のナースコールシステム。
【請求項６】
前記制御装置は、前記映像解析部により離床状態が検出されている間に、前記第二距離内となった入院患者の通知を前記位置管理サーバから受けた場合、前記入院患者の入院患者用携帯電話に前記接近通知信号を送信する制御を実行する、
請求項５記載のナースコールシステム。
【請求項７】
前記制御装置は、前記接近通知信号を送信した機器に、前記看護師用携帯電話の位置情報を合わせて送信し、
前記接近通知信号および前記看護師用携帯電話の位置情報を受信した機器は、前記看護師用携帯電話の位置を報知する制御を実行する、
請求項５または６記載のナースコールシステム。
【請求項８】
前記病室の扉には、電子錠が取り付けられており、
前記制御装置は、前記看護師用携帯電話と前記ナースコール子機との間の距離が所定の第三距離内となった場合、前記電子錠を開錠する制御を実行する、
請求項１ないし７のいずれかの項記載のナースコールシステム。
【発明の詳細な説明】
【技術分野】
【０００１】
本発明は、ナースコールシステムに関する。
【背景技術】
【０００２】
従来より、個々のベッドに設置されたナースコール子機から呼び出しが成されたら、ナースステーションに設置されたナースコール親機等に通知されるナースコールシステムが普及している。このようなナースコールシステムでは、呼び出されたナースコール親機等において呼出元のベッド番号や患者氏名が表示部に表示され、看護師はその表示により呼出元を認識して応答することができる。
一方、看護師は自分の担当する入院患者のバイタルを測定したり問診を行うために、ナースコール子機からの呼び出しに応答できる看護師用携帯電話を携行して毎日巡回を行っている。
【先行技術文献】
【特許文献】
【０００３】
【特許文献１】特開２０１４−０４２７１１号公報
【発明の概要】
【発明が解決しようとする課題】
【０００４】
しかしながら、看護師による巡回は正確に決められた時刻に毎日行われるわけではないため、入院患者は看護師の巡回がいつ行われるか把握できず、看護師が病室に巡回した際、入院患者が不在である場合があった。入院患者が不在の場合には、看護師は後ほど改めてその入院患者の病室に巡回する必要があり、看護業務の負担となっていた。
【０００５】
本発明は、このような問題点に鑑みてなされたものであり、担当看護師による巡回が開始されたことを入院患者に報知することができるナースコールシステムを提供することを課題とする。
【課題を解決するための手段】
【０００６】
上記課題を解決するために、本願発明者は、以下のようなナースコールシステムを提案する。
【０００７】
本発明のナースコールシステムは、入院患者が看護師を呼ぶために病室のベッド毎に備えられたナースコール子機と、ナースコール子機からの呼び出しに応答するためにナースステーションに設置されたナースコール親機と、ナースコール子機が接続され、病室内のベッド近傍に設置されるプレート子機と、病室のベッド毎に備えられて患者関連情報を表示可能なベッドサイドモニタと、機器間の通話および通信を制御する制御装置と、制御装置に、携帯電話交換接続機能を有するＰＢＸ、携帯電話無線送受信機能を有する基地局を介して接続される、ナースコール子機からの呼び出しに応答するために看護師が携行する複数の看護師用携帯電話と、入院患者が所持する複数の入院患者用携帯電話と、を備えている。このナースコールシステムは、病棟内の適宜場所に、位置信号を無線発信する位置情報発信機が設置されると共に、看護師用携帯電話のそれぞれの位置情報を保存する位置管理サーバを具備する一方、看護師用携帯電話には位置情報発信機が発信する位置信号を受信して、当該位置信号に自身のＩＤを付加して発信する位置情報通信部が設けられ、位置管理サーバが、個々の看護師用携帯電話から受信した位置情報を保存する看護師用携帯電話位置記憶部に加えて、看護師と看護師用携帯電話とを関連付けた看護師用携帯電話テーブル記憶部と、看護師と入院患者を関連付けた担当看護師テーブル記憶部と、入院患者とナースコール子機とを関連付けた入院患者テーブル記憶部と、個々のナースコール子機の位置を記憶するベッド位置記憶部と、看護師用携帯電話とナースコール子機との間の距離を計測し、距離を含む所定の条件を満たす入院患者を順次選択する距離計測部とを備えると共に、看護師用携帯電話には、巡回開始ボタンが設けられており、制御装置は、看護師用携帯電話から巡回開始操作が行われた場合、位置管理サーバに当該看護師用携帯電話の位置情報をもとに所定の条件を満たす入院患者を順次選択させ、位置管理サーバにより選択された入院患者のベッドサイドモニタ、ナースコール子機、プレート子機および入院患者用携帯電話のうち少なくとも一つの機器に巡回開始信号を送信し、巡回開始信号を受信した機器は、巡回が開始されたことを通知する制御を実行する構成になっている。
このような構成のナースコールシステムによれば、看護師用携帯電話から巡回開始操作が行われた場合、位置管理サーバにより選択された入院患者のベッドサイドモニタ、ナースコール子機、プレート子機および入院患者用携帯電話のうち少なくとも一つの機器に巡回開始信号が送信され、巡回開始信号を受信した機器は、巡回が開始されたことを通知する制御を実行する構成となっているので、担当看護師による巡回が開始されたことを入院患者に報知することができる。これにより、入院患者はみだりに病室から出ないなど巡回に備えた対応をとることができ、看護師が病室に巡回した際、入院患者が不在である可能性を低減することができるため、看護業務の効率を上げることができる。
また、入院患者にとってはあらかじめ巡回の開始が報知されるので急に巡回されることがなくなり、入院患者のプライバシーを向上することができる。
【０００８】
位置管理サーバの距離計測部は、距離を含む所定の条件を満たす入院患者を順次選択する構成となっていればよい。
例えば、距離計測部は、巡回開始操作が行われた看護師用携帯電話に関連付けられている入院患者を看護師用携帯電話テーブル記憶部および担当看護師テーブル記憶部から選択し、その入院患者の中から、そのナースコール子機と当該看護師用携帯電話との間の距離が所定の第一距離内となる入院患者を順次選択する構成とすることができる。
【０００９】
位置管理サーバは、距離計測部が、病棟内を実際に移動する際の動線上の距離を計測するためのマップ情報記憶部を有しており、距離計測部は、ナースコール子機と看護師用携帯電話との間の距離を計測する際、巡回開始操作が行われた看護師用携帯電話を携行する看護師がナースコール子機の位置にたどり着くまでの動線上の距離をマップ情報記憶部のデータをもとに計測する構成としてもよい。
このような構成とすれば、看護師がナースコール子機の位置にたどり着くまでの実際の距離に基づいてナースコール子機と看護師用携帯電話との間の距離を計測して入院患者を順次選択するため、直線距離が近くても上階または下階に位置するような、実際の距離では所定の条件を満たさない、または所定の第一距離よりも遠いナースコール子機と関連付けられた入院患者が選択されることを防止することができる。
【００１０】
本発明のナースコールシステムは、ベッド上の入院患者を撮像できる病室カメラと、この病室カメラの撮像映像をもとに、ベッドから入院患者が居なくなる離床状態を検出できる映像解析部とをさらに備えており、制御装置は、映像解析部により離床状態が検出されている間に、この入院患者と関連付けられた看護師の看護師用携帯電話により巡回開始操作が行われ、離床状態が検出されている入院患者が位置管理サーバにより選択された場合、入院患者の入院患者用携帯電話に巡回開始信号を送信する制御を実行する構成としてもよい。
このような構成のナースコールシステムによれば、位置管理サーバにより選択された入院患者がベッドに居ない場合、その入院患者の入院患者用携帯電話に巡回開始信号が送信されるため、入院患者が入院患者用携帯電話を携帯して外出している場合にも巡回が開始されたことを通知することができる。これにより、入院患者は病室に戻るなど巡回に備えた対応をとることができる。
【００１１】
距離計測部は、第一距離内となる入院患者を選択した後、この選択された入院患者のナースコール子機と看護師用携帯電話との間の距離が第一距離よりも近い所定の第二距離内となった場合、第二距離内となった入院患者を制御装置に通知し、制御装置は、この入院患者の機器に、さらに接近通知信号を送信し、接近通知信号を受信した機器は、看護師がまもなく病室に来訪することを通知する制御を実行する構成としてもよい。
このような構成のナースコールシステムによれば、看護師がまもなく病室に来訪することを入院患者に通知することができるため、入院患者は離床しないなど、巡回に備えたさらなる対応をとることができる。
【００１２】
制御装置は、映像解析部により離床状態が検出されている間に、第二距離内となった入院患者の通知を位置管理サーバから受けた場合、入院患者の入院患者用携帯電話に接近通知信号を送信する制御を実行する構成としてもよい。
このような構成にすれば、入院患者がベッドに居ない場合、その入院患者の入院患者用携帯電話に接近通知信号が送信されるため、入院患者が入院患者用携帯電話を携帯して外出している場合、まもなく看護師が病室に来訪することを通知することができる。これにより、入院患者は急いで病室に戻るなど巡回に備えた対応をとることができる。
【００１３】
制御装置は、接近通知信号を送信した機器に、看護師用携帯電話の位置情報を合わせて送信し、接近通知信号および看護師用携帯電話の位置情報を受信した機器は、看護師用携帯電話の位置を報知する制御を実行する構成としてもよい。
このような構成のナースコールシステムによれば、入院患者は看護師の具体的な現在位置を知ることができる。
【００１４】
病室の扉には、電子錠が取り付けられており、制御装置は、看護師用携帯電話とナースコール子機との間の距離が所定の第三距離内となった場合、電子錠を開錠する制御を実行する構成としてもよい。
このような構成のナースコールシステムによれば、看護師用携帯電話とナースコール子機との間の距離が所定の第三距離内となった場合、巡回する看護師が担当する入院患者のいる病室の電子錠が自動的に開錠されるので、看護師が病室の扉を開錠する手間を省くことができ、看護師の業務効率を上げることができる。
なお、所定の第三距離は、第二距離よりも近い距離にしてもよいし、第二距離よりも遠い距離にしてもよい。また、第一距離または第二距離と同じ距離とすれば、巡回開始信号または接近通知信号の送信時に開錠するような構成とすることができる。
【発明の効果】
【００１５】
本発明によれば、担当看護師による巡回が開始されたことを入院患者に報知することができるナースコールシステムを提供することができる。
【図面の簡単な説明】
【００１６】
【図１】ナースコールシステムＡの全体構成を示す図。
【図２】ナースコールシステムＡのナースコール子機１およびプレート子機２を示す図。
【図３】ナースコールシステムＡのプレート子機２の構成を示す機能ブロック図。
【図４】ナースコールシステムＡのベッドサイドモニタ３の構成を示す機能ブロック図。
【図５】ナースコールシステムＡの廊下灯６の構成を示す機能ブロック図。
【図６】ナースコールシステムＡのナースコール親機７の構成を示す機能ブロック図。
【図７】ナースコールシステムＡの制御機８の構成を示す機能ブロック図。
【図８】看護師用携帯電話９の表示画面を示す図。
【図９】看護師用携帯電話９の表示画面を示す図。
【図１０】位置管理サーバ１４の構成を示す機能ブロック図。
【発明を実施するための形態】
【００１７】
以下、本発明のナースコールシステムの好ましい実施形態を、図面を参照しながら詳細に説明する。
【００１８】
図１は、本発明の実施形態に係るナースコールシステムＡの構成図である。
この図に示すように、ナースコールシステムＡは、入院患者が看護師を呼び出すために病室のベッド毎に備えられたナースコール子機１と、このナースコール子機１が接続され、病室内のベッド近傍の壁面に設置されるプレート子機２と、病室のベッド毎に備えられて患者関連情報を表示可能なベッドサイドモニタ３と、病室の扉に設けられた電子錠４と、ベッド上の入院患者を撮像できる病室カメラ５と、病室近傍の廊下壁面に設置される廊下灯６と、ナースコール子機１からの呼び出しに応答するためにナースステーションに設置されたナースコール親機７と、ナースコール子機１や廊下灯６、ナースコール親機７等の各機器を制御する制御機８と、看護師が携行する看護師用携帯電話９と、入院患者が所持する入院患者用携帯電話１０とを備えている。
また、このナースコールシステムＡは、 制御機８に接続され、看護師用携帯電話９または入院患者用携帯電話１０との通信を管理する交換機（以下、ＩＰ−ＰＢＸとする。）１１と、看護師用携帯電話９または入院患者用携帯電話１０とＩＰ−ＰＢＸ１１との間で無線通信を行う基地局１２と、入院患者の各種データが蓄積されたナースコールサーバ１３と、看護師の位置情報を管理する位置管理サーバ１４と、共用部に設置される共用部カメラ１５と、ＩＭＥＳ（Indoor Messaging System）送信機１６を備えている。
【００１９】
ナースコール子機１が接続されたプレート子機２は、伝送線を介して廊下灯６に接続されており、ベッドサイドモニタ３、電子錠４、病室カメラ５、ナースコール親機７、制御機８、廊下灯６、ＩＰ−ＰＢＸ１１、ナースコールサーバ１３、位置管理サーバ１４、および共用部カメラ１５は、それぞれＨＵＢ１７を介して、病院内に配設されたＬＡＮ１８に接続されている。
また、ＩＰ−ＰＢＸ１１は、伝送線を介して基地局１２と接続されている。
基地局１２は、施設内の複数の箇所に適宜設定されている。
【００２０】
ナースコール子機１は、図２に示すように、看護師を呼び出すための呼出ボタン１ａを有しており、プレート子機２に接続されている。
【００２１】
プレート子機２は、図３に示すように、ナースコール子機１と接続されるナースコール子機接続部２１、通話するためのマイク２２およびスピーカ２３、音声信号を処理する子機音声処理部２４、プレート子機２を制御する子機ＣＰＵ２５、廊下灯６と通信する子機通信ＩＦ２６、および報知動作等を停止できる復旧ボタン２７を有している。
【００２２】
ベッドサイドモニタ３は、図４に示すように、各種情報を表示するモニタ３１、モニタ３１に表示する映像を処理するサイドモニタ映像処理部３２、各種操作をするタッチパネルから成る操作部３３、通話するためのマイク３４およびスピーカ３５、音声信号を処理するサイドモニタ音声処理部３６、ベッドサイドモニタ３を制御するサイドモニタＣＰＵ３７、制御機８と通信するサイドモニタ通信ＩＦ３８、および報知動作等を停止させたり液晶表示をオン／オフ操作できる復旧ボタン３９を有している。
【００２３】
病室カメラ５は、このカメラ５の撮像映像をもとに、ベッドから入院患者が居なくなる離床状態を検出できる映像解析部を備えている。この映像解析部には、カメラ５の画角内に、離床を判断するための撮像対象のベッドに合わせた特定エリアがあらかじめ設定されており、映像解析部は、この特定エリアから外へ移動をする人物を検出することにより、離床発生を判断する。
【００２４】
廊下灯６は、図５に示すように、入院患者からの呼出発生を発光表示する呼出表示灯４１、通話するためのマイク４２およびスピーカ４３、音声信号を処理する廊下灯音声処理部４４、廊下灯６を制御する廊下灯ＣＰＵ４５、ナースコール親機７等と通信するための廊下灯第１通信ＩＦ４６、報知動作を停止させるための復旧ボタン４７、およびプレート子機２と通信するための廊下灯第２通信ＩＦ４８を有している。
【００２５】
ナースコール親機７は、図６に示すように、ナースコール子機１からの呼び出しに応答するためのハンドセット６１、警報音等を報音するスピーカ６２、音声信号を処理すると共に警報音を処理する親機音声処理部６３、各種情報を表示する親機モニタ６４、親機モニタ６４に表示する映像を処理する親機映像処理部６５、各種操作をするタッチパネルから成る操作部６６、ナースコール親機７全体を制御する親機ＣＰＵ６７、制御機８等の他の機器と通信する親機通信ＩＦ６８、および各種情報を記憶する情報記憶部６９を有している。
【００２６】
制御機８は、図７に示すように、各種情報を記憶する情報記憶部７１、制御機８を制御する制御機ＣＰＵ７２、および廊下灯６等の他の機器と通信する制御機通信ＩＦ７３を有している。
情報記憶部７１は、患者関連情報を記憶する患者関連情報記憶部７１ａを備えている。
この患者関連情報記憶部７１ａには、入院患者の氏名や年齢等の患者情報、入院患者の看護区分や診療科目等の看護情報、ナースコール子機１の子機ＩＤと患者情報との関係、入院患者の検査、手術等のスケジュール情報、患者の所有する入院患者用携帯電話１０の携帯電話情報等が記憶されている。これらの情報は、ナースコール親機７を操作することにより入力される。
【００２７】
看護師用携帯電話９および入院患者用携帯電話１０は、携帯電話機能を備えた多機能型端末であり、例えばスマートフォンと称される機器に所定のアプリケーションソフトウェアをインストールして使用することができる。
看護師用携帯電話９は、ナースコール子機１からの呼び出しに応答したりすることができる。また、入院患者用携帯電話１０は、後述するように、設定により、担当看護師による巡回が開始されたことを示す巡回開始信号を受信することができる。
看護師用携帯電話９は、ＩＭＥＳ送信機１６と位置管理サーバ１４とともに位置特定システムを構成するため、看護師用携帯電話９には、ＧＰＳの衛星電波を受信して自身の位置を特定し、自身のＩＤを特定した位置情報に付加して発信する、図示しないＧＰＳ通信部が内蔵されているものが使用される。
図８に示すように、看護師用携帯電話９は、タッチパネルから成る表示部５１を備えており、看護師による所定の操作で、この表示部５１に巡回開始ボタン５１ａを表示する。
この巡回開始ボタン５１ａがタッチされると、図９に示すように、看護師用携帯電話９は、表示部５１に、巡回終了ボタン５１ｂを表示する。また、巡回開始に伴う後述の動作が実行されることとなる。
【００２８】
位置管理サーバ１４は、図１０に示すように、各看護師用携帯電話９の位置を記憶する看護師用携帯電話位置記憶部８１、看護師とその看護師が携行する看護師用携帯電話９を関連づけた携帯電話／看護師関連テーブル（看護師用携帯電話テーブル記憶部）８２、看護師と入院患者を関連づけた看護師／入院患者関連テーブル（担当看護師テーブル記憶部）８３、入院患者とナースコール子機を関連付けた入院患者／ナースコール子機関連テーブル（入院患者テーブル記憶部）８４、病棟内の個々のナースコール子機の位置（ベッドの位置）を記憶するベッド位置記憶部８５、距離を演算するためのマップ情報記憶部８６、看護師用携帯電話９の位置情報を更新制御するとともに巡回開始信号を送信する入院患者の選択制御を実施し、さらに位置管理サーバ１４全体を制御するサーバＣＰＵ８７、および制御機８等の他の機器と通信するサーバ通信ＩＦ８８を有している。
【００２９】
ＩＭＥＳ送信機１６は、病棟内または病院内の適宜部位、例えば各病室、ナースステーション、手術室、待合室、談話室、廊下などの適宜位置に設置され、自身の位置情報をＧＰＳ電波と同じ電波形式の無線信号を使用して常時配信している。
そして、このＩＭＥＳ送信機１６のうち近くのＩＭＥＳ送信機１６が配信する位置情報を、看護師用携帯電話９に内蔵されているＧＰＳ通信部が受信して自身の位置を把握し、ＩＤを付加して把握した位置情報を定期的に位置管理サーバ１４に送信する。看護師用携帯電話９が送信する位置情報は、通常の通話信号の場合と同様に基地局１２が受信し、交換機１１、ＬＡＮ１８を介して位置管理サーバ１４に伝送されて保存される。こうして、看護師用携帯電話９の現在位置を把握する位置特定システムを構築している。
ナースコール子機１から看護師の呼び出しがあった場合、制御機８は、位置管理サーバ１４に、携帯電話／看護師関連テーブル８２、看護師／入院患者関連テーブル８３を参照して、呼び出しをした入院患者と関連づけられている看護師の中のうち、入院患者のナースコール子機１の場所に近い看護師を選択させて、その看護師の看護師用携帯電話９に呼び出しを通知する。
【００３０】
共用部カメラ１５は、病棟内または病院内の共用部、例えば各階の廊下、待合室、談話室等の共用部に適宜設けられている。この共用部カメラ１５により撮像された画像は、ナースコール親機７の操作部６６を操作することにより、親機モニタ６４に表示できるように構成されている。
【００３１】
以上のように構成されたナースコールシステムＡの動作を以下に説明する。
ただし、ナースコール子機１からの看護師の呼び出し、呼び出しを受けたナースコール親機７や看護師用携帯電話９の報音動作、ナースコール親機７または看護師用携帯電話９による応答操作は従来と同様であるため説明を省略し、ここでは看護師が看護師用携帯電話９から巡回開始操作を行った場合の動作について説明する。また、ここでは巡回開始信号は通常ベッドサイドモニタ３に送信されるように設定されているものとする。
なお、上述したように、個々の看護師用携帯電話９の位置情報は定期的に位置管理サーバ１４に送信され、サーバＣＰＵ８７の制御により看護師用携帯電話位置記憶部８１のデータが最新のデータに書き換えられて保存されている。
また、病室カメラ５は常時動作しているものとする。
【００３２】
巡回を開始しようとする看護師が看護師用携帯電話９の巡回開始ボタン５１ａをタッチすると、制御機８は、位置管理サーバ１４に、巡回開始信号を送信すべき入院患者を順次選択させる。
【００３３】
位置管理サーバ１４では、巡回開始操作を行った看護師の看護師用携帯電話９の位置情報をもとにあらかじめ設定された所定の条件を満たす入院患者を順次選択する以下のような制御を実施し、順次選択した入院患者を制御機８に通知する。ここでは、所定の条件として、巡回開始操作を行った看護師が担当する入院患者のうち、看護師と入院患者のナースコール子機１との間の距離が２０メートル以内となる入院患者を順次選択する場合を説明する。
【００３４】
サーバＣＰＵ８７は、携帯電話／看護師関連テーブル８２および看護師／入院患者関連テーブル８３を参照して、制御機８から受信した携帯電話ＩＤ情報から看護師用携帯電話９を特定するとともにその看護師用携帯電話９と関連付けられた看護師を特定し、当該看護師と関連付けられた入院患者を読み出す。
そして、看護師用携帯電話位置記憶部８１、入院患者／ナースコール子機関連テーブル８４、ベッド位置記憶部８５およびマップ情報記憶部８６をもとに、読みだされた入院患者のそれぞれのナースコール子機１（ベッド）の位置を読み取り、当該看護師用携帯電話９の位置から動線上の距離が２０メートル以内となるナースコール子機１と関連付けられた入院患者を選択し、制御機８に送信する。
この入院患者の選択は、看護師用携帯電話９の巡回終了ボタン５１ｂがタッチされるまで、看護師用携帯電話位置記憶部８１の最新データをもとに順次行われる。
【００３５】
制御機８は、位置管理サーバ１４により入院患者が選択されると、当該入院患者の病室カメラ５の映像解析部によりその入院患者の離床状態が検出されているか否かを判断する。
離床状態が検出されていない場合、制御機８は、巡回開始信号をその入院患者のベッドサイドモニタ３に送信する。
一方、離床状態が検出されている場合、制御機８は、その入院患者の携帯電話情報１０を患者関連情報記憶部７１ａから読み取り、その入院患者の入院患者用携帯電話１０に巡回開始信号を送信する。
巡回開始信号を受信したベッドサイドモニタ３または入院患者用携帯電話１０は、巡回が開始されたことを通知する制御を行う。具体的には「看護師による巡回が開始されました。」など、巡回が開始されたことを示すメッセージをベッドサイドモニタ３または入院患者用携帯電話１０に表示する。
本実施形態では、巡回開始の通知はメッセージを表示することにより行う構成になっているが、これに限らず、例えばメッセージの表示とともにスピーカ３５等から音声により位置を報知する構成としてもよいし、音声のみにより位置を報知する構成としてもよい。
【００３６】
また、位置管理サーバ１４のサーバＣＰＵ８７は、巡回開始操作を行った看護師の看護師用携帯電話９の位置情報をもとに２０メートル以内となる入院患者を順次選択して巡回開始信号を送信した後、この選択された入院患者のナースコール子機１と看護師用携帯電話９との間の距離がさらに近くなり１０メートルとなった場合、１０メートルとなった入院患者および看護師用携帯電話９の現在の位置情報を制御機８に送信する制御を実施する。
この制御も、看護師用携帯電話９の巡回終了ボタン５１ｂがタッチされるまで、看護師用携帯電話位置記憶部８１の最新データをもとに順次行われる。
【００３７】
制御機８は、位置管理サーバ１４により入院患者が選択されると、接近通知信号を看護師用携帯電話９の位置情報とともにその入院患者のベッドサイドモニタ３に送信する。
接近通知信号を受信したベッドサイドモニタ３は、看護師の現在位置を表示する制御およびまもなく看護師が来訪することを通知する制御を行う。具体的には「まもなく病室に看護師が巡回に来ます。」など、まもなく看護師が来訪することを通知するメッセージを看護師の現在位置とともにベッドサイドモニタ３に表示する。
看護師の現在位置の表示は、病院の地図をもとに表示してもよいし、具体的な病室番号を表示してもよい。
なお、看護師が来訪することの入院患者への通知は、例えばメッセージの表示とともにスピーカ３５から音声により位置を報知する構成としてもよいし、音声のみにより位置を報知する構成としてもよい。
【００３８】
また、制御機８は、看護師用携帯電話９とナースコール子機１との間の距離が５メートル以内となった場合、電子錠４を開錠する制御を実行する。
【００３９】
以上の動作は、看護師による巡回が終わり、看護師用携帯電話９の巡回終了ボタン５１ｂがタッチされることにより終了する。
【００４０】
このように、本実施形態のナースコールシステムＡによれば、看護師用携帯電話９から巡回開始操作が行われた場合、制御機８は、位置管理サーバ１４により選択された入院患者のベッドサイドモニタ３に巡回開始信号を送信し、巡回開始信号を受信したベッドサイドモニタ３は、巡回が開始されたことを通知する制御を実行する構成となっているので、担当看護師による巡回が開始されたことを入院患者に報知することができる。これにより、入院患者はみだりに病室から出ないなど巡回に備えた対応をとることができ、看護師が病室に巡回した際、入院患者が不在である可能性を低減することができるため、看護業務の効率を上げることができる。
また、入院患者にとってはあらかじめ巡回の開始が報知されるので急に巡回されることがなくなり、入院患者のプライバシーを向上することができる。
【００４１】
なお、本実施形態では、位置管理サーバ１４は、巡回開始操作を行った看護師が担当する入院患者のうち、看護師と入院患者のナースコール子機１との間の距離が２０メートル以内となる入院患者を順次選択する構成となっているが、これに限られず、あらかじめ設定された、距離を含む所定の条件を満たす入院患者を順次選択する構成となっていればよい。
例えば、巡回開始操作を行った看護師が担当する入院患者のうち、看護師と入院患者のナースコール子機１との間の距離が所定の第一距離内となる入院患者を順次選択する構成とすることができる。
看護師による巡回は、自分の担当する近くの入院患者から順次行われるが、入院患者それぞれのバイタルの測定や問診を行うため、担当する入院患者が多い場合、看護師の巡回が終了するまでにはかなりの時間を要する。このため、看護師が巡回開始操作を行った際、その看護師が担当するすべての入院患者に同時に巡回が開始されたことを通知すると、巡回の順番が遅い遠くの病室の入院患者は、巡回が開始されたことが通知されてからかなりの時間巡回を待つことになる場合もある。このような事情から、看護師が担当する入院患者の数や、個々の入院患者の巡回に要する時間を勘案して所定の第一距離を適宜設定することにより、入院患者が巡回の開始を通知されてから長い間待たされないようにすることができる。一方、看護師の担当する入院患者が少ない場合や複数の看護師により巡回を行う場合のように、比較的早く巡回を行うことができる場合には、所定の第一距離を遠めに設定してもよい。
【００４２】
また、位置管理サーバ１４は、看護師がナースコール子機１の位置にたどり着くまでの実際の距離に基づいてナースコール子機１と看護師用携帯電話９との間の距離を計測して入院患者を順次選択するため、直線距離が近くても上階または下階に位置するような、実際の距離では２０メートルよりも遠いナースコール子機１と関連付けられた入院患者が選択されることを防止することができる。
【００４３】
さらに、位置管理サーバ１４により選択された入院患者がベッドに居ない場合、その入院患者の入院患者用携帯電話１０に巡回開始信号が送信されるため、入院患者が入院患者用携帯電話１０を携帯して外出している場合、入院患者が病室に不在であっても巡回が開始されたことを通知することができる。これにより、入院患者は病室に戻るなど巡回に備えた対応をとることができる。
【００４４】
また、本実施形態のナースコールシステムＡによれば、位置管理サーバ１４は、２０メートル内となる入院患者を選択した後、この選択された入院患者のナースコール子機１と看護師用携帯電話９との間の距離がより近い１０メートル内となった場合、１０メートル内となった入院患者を制御機８に通知し、制御装置８は、この入院患者のベッドサイドモニタ３に、さらに接近通知信号を送信し、接近通知信号を受信したベッドサイドモニタ３は、看護師がまもなく病室に来訪することを通知する制御を実行する構成となっているので、看護師がまもなく病室に来訪することを入院患者に通知することができ、入院患者は離床しないなど、巡回に備えたさらなる対応をとることができる。
【００４５】
また、本実施形態のナースコールシステムＡでは、制御機８は、この接近通知信号をベッドサイドモニタ３に接近通知信号を送信する際に看護師用携帯電話９の位置情報を合わせて送信し、これらを受信したベッドサイドモニタ３は、看護師用携帯電話９の位置を報知する制御を実行する構成となっているので、入院患者は看護師の具体的な現在位置を知ることができる。
【００４６】
なお、制御機８は、位置管理サーバにより１０メートルとなった入院患者が選択された際、映像解析部によりその入院患者の離床状態が検出されているか否かを判断する構成としてもよい。
そして、離床状態が検出されていない場合、制御機８は、接近通知信号をその入院患者のベッドサイドモニタ３に送信する一方、離床状態が検出されている場合、その入院患者の携帯電話情報１０を患者関連情報記憶部７１ａから読み取り、その入院患者の入院患者用携帯電話１０に接近通知信号を送信する制御を行う。
接近通知信号を受信したベッドサイドモニタ３または入院患者用携帯電話１０は、上述のように、看護師の現在位置を表示する制御およびまもなく看護師が来訪することを通知する制御を行う。
このような構成にすれば、入院患者がベッドに居ない場合、その入院患者の入院患者用携帯電話１０に接近通知信号が送信されるため、入院患者が入院患者用携帯電話１０を携帯して外出している場合、まもなく看護師が病室に来訪することを通知することができる。これにより、入院患者は急いで病室に戻るなど巡回に備えた対応をとることができる。
【００４７】
また、本実施形態のナースコールシステムＡによれば、制御機８は、看護師用携帯電話９とナースコール子機１との間の距離があらかじめ設定された５メートル以内となった場合、電子錠４を開錠する制御を実行する構成となっているので、巡回する看護師が担当する入院患者のいる病室の電子錠４が自動的に開錠されるため、看護師が病室の扉を開錠する手間を省くことができ、看護師の業務効率を上げることができる。
なお、電子錠４が開錠される看護師用携帯電話９とナースコール子機１との間の距離は、どのように設定してもよく、巡回開始信号または接近通知信号の送信時に開錠するようにしてもよい。
【００４８】
以上の本実施形態のナースコールシステムＡでは、ベッドサイドモニタ３に巡回開始信号や接近通知信号が通知されるものとして記載したが、これに限られず、ナースコール子機１、プレート子機２、ベッドサイドモニタ３または入院患者用携帯電話１０のうちの少なくとも一つにこれらの信号が通知される構成となっていればよい。
なお、ナースコール子機１に巡回開始信号または接近通知信号が送信される構成とする場合には、ナースコール子機１に巡回が開始されたことまたは看護師がまもなく病室に来訪することを通知する制御を実行する通知制御部を設ける必要がある。
【００４９】
また、本実施形態のナースコールシステムＡでは、接近通知信号を送信する構成となっているが、接近通知信号を送信しない構成としてもよい。また、電子錠４または病室カメラ５を有していない構成としてもよい。
【００５０】
また、本実施形態のナースコールシステムＡでは、制御機８が患者関連情報記憶部７３ａを有するものとして記載したが、ナースコール親機７が患者関連情報記憶部７３ａを有していてもよいし、別の記録装置が患者関連情報記憶部７３ａを有していてもよい。
また、本実施形態のナースコールシステムＡでは、位置管理サーバ１４が看護師用携帯電話位置記憶部８１、携帯電話／看護師関連テーブル８２、看護師／入院患者関連テーブル８３、入院患者／ナースコール子機関連テーブル８４、ベッド位置記憶部８５、マップ情報記憶部８６を有するものとして記載したが、制御機８、ナースコール親機７または別の記録装置がこれらのうちのいずれかを有していてもよい。
【符号の説明】
【００５１】
Ａ・・ナースコールシステム、１・・ナースコール子機、２・・プレート子機、３・・ベッドサイドモニタ、４・・電子錠、５・・病室カメラ、６・・廊下灯、７・・ナースコール親機、８・・制御機（制御装置）、９・・看護師用携帯電話、１０・・入院患者用携帯電話、１１・・交換機、１２・・基地局、１３・・ナースコールサーバ、１４・・位置管理サーバ、１５・・共用部カメラ、１６・・ＩＭＥＳ送信機（位置情報発信機）、１７・・ＨＵＢ、１８・・ＬＡＮ、２１・・ナースコール子機接続部、２２、３４、４２・・マイク、２３、３５、４３・・スピーカ、２４・・子機音声処理部、２５・・子機ＣＰＵ、２６・・子機通信ＩＦ、２７、３９、４７・・復旧ボタン、３１・・モニタ、３２・・サイドモニタ映像処理部、３３・・操作部、３６・・サイドモニタ音声処理部、３７・・サイドモニタＣＰＵ、３８・・サイドモニタ通信ＩＦ、４１・・呼出表示灯、４４・・廊下灯音声処理部、４５・・廊下灯ＣＰＵ、４６・・廊下灯第１通信ＩＦ、４８・・廊下灯第２通信ＩＦ、５１・・表示部、５１ａ・・巡回開始ボタン、５１ｂ・・巡回終了ボタン、６１・・ハンドセット、６２・・スピーカ、６３・・親機音声処理部、６４・・親機モニタ、６５・・親機映像処理部、６６・・操作部、６７親機ＣＰＵ、６８・・親機通信ＩＦ、６９・・情報記憶部、７１・・情報記憶部、７１ａ・・患者関連情報記憶部、７２・・制御機ＣＰＵ、７３・・制御機通信ＩＦ、８１・・看護師用携帯電話位置記憶部、８２・・携帯電話／看護師関連テーブル（看護師用携帯電話テーブル記憶部）、８３・・看護師／入院患者関連テーブル（担当看護師テーブル記憶部）、８４・・入院患者／ナースコール子機関連テーブル（入院患者テーブル記憶部）、８５・・ベッド位置記憶部、８６・・マップ情報記憶部、８７・・サーバＣＰＵ、８８・・サーバ通信ＩＦ。
【図１】
2019125909.tif 000003
【図２】
2019125909.tif 000004
【図３】
2019125909.tif 000005
【図４】
2019125909.tif 000006
【図５】
2019125909.tif 000007
【図６】
2019125909.tif 000008
【図７】
2019125909.tif 000009
【図８】
2019125909.tif 000010
【図９】
2019125909.tif 000011
【図１０】
2019125909.tif 000012